(57)【要約】      （修正有）【課題】低コストで、施工性も良好な、強度に優れた外壁改修構造を提供する。【解決手段】既存外壁１上に胴縁を配し新規外壁材を設置する外壁改修構造であって、基礎の土台部６近辺には既存外壁１を一部除去した壁材除去部Ｇがあり、壁材除去部Ｇには基礎の土台部６に固定具αを用いて固定した外装下地材取付用金具Ｚを設け、外装下地材取付用金具Ｚは垂直平面上の取付部を持ち、固定具αを用いて外装下地材取付用金具Ｚの取付部及び既存外壁１を支持する下地及び／又は既存の横架材及び／又は既存の垂直材に対して固定された胴縁取付用金具３を設け、胴縁取付用金具３を介して胴縁が基礎の土台部６及び既存外壁１を支持する下地及び／又は既存の横架材及び／又は既存の垂直材に対して支持固定されている。【選択図】図１
2018178582.tif 000002
【特許請求の範囲】
【請求項１】
既存外壁上に胴縁を配し新規外壁材を設置する外壁改修構造であって、基礎の土台部近辺には既存外壁を一部除去した壁材除去部があり、壁材除去部には基礎の土台部に固定具を用いて固定した外装下地材取付用金具を設け、外装下地材取付用金具は垂直平面上の取付部を持ち、固定具を用いて外装下地材取付用金具の取付部及び既存外壁を支持する下地及び／又は既存の横架材及び／又は既存の垂直材に対して固定された胴縁取付用金具を設け、胴縁取付用金具には胴縁取付用金具を外装下地材取付用金具の取付部及び既存外壁を支持する下地及び／又は既存の横架材及び／又は既存の垂直材に対して固定具で留め付けるための固定部と、固定部の固定を行ったときに既存外壁面より屋外側に離れて存在し胴縁を施工するための施工面があり、胴縁取付用金具を介して胴縁が基礎の土台部及び既存外壁を支持する下地及び／又は既存の横架材及び／又は既存の垂直材に対して支持固定されていることを特徴とする外壁改修構造。
【請求項２】
請求項１に記載の外壁改修構造において、建物１階の基礎の土台部付近から上階との階層境界部に渡って施工される縦胴縁と、建物２階以降の各階の階層境界部に渡って施工される縦胴縁の上下端部近辺は胴縁取付用金具及び／又は胴縁取付用金具に固定された横胴縁に固定されていることを特徴とする外壁改修構造。
【発明の詳細な説明】
【技術分野】
【０００１】
本発明は外壁改修構造に関するものである。
【背景技術】
【０００２】
従来、外壁の改修において、古くなった既存外壁を撤去することなく、既存外壁上に新規胴縁を配し、その新規胴縁上に新規外壁を施工する改修方法いわゆるカバー工法が知られている。（特許文献１）
【先行技術文献】
【特許文献】
【０００３】
【特許文献１】特開２００１−１０７５３５号公報
【発明の概要】
【発明が解決しようとする課題】
【０００４】
特許文献１は、既存外壁上に配した胴縁と、胴縁上に固定して既存外壁を覆うように配した新規外壁材から構成され、胴縁を固定する固定具は既存外壁を貫通して既存外壁を支持する下地に打ち込まれている外壁改修構造である。
【０００５】
しかしながら、このような既存外壁を支持する下地（アングル材やＨ型鋼等）に胴縁を固定する外壁改修構造を採用しようとした際に、建物によっては、建物の基礎の土台部に固定具を固定するための適当な下地（アングル材やＨ型鋼等）が存在しない場合があり、建物基礎の土台部においてこのような構造が採用できず、十分な取付強度を得ることが難しい場合があった。
【課題を解決するための手段】
【０００６】
本発明はこのような課題を解決するために、以下の手段を提供している。
【０００７】
本発明の外壁改修構造は、既存外壁上に胴縁を配し新規外壁材を設置する外壁改修構造であって、基礎の土台部近辺には既存外壁を一部除去した壁材除去部があり、壁材除去部には基礎の土台部に固定具を用いて固定した外装下地材取付用金具を設け、外装下地材取付用金具は垂直平面上の取付部を持ち、固定具を用いて外装下地材取付用金具の取付部及び既存外壁を支持する下地及び／又は既存の横架材及び／又は既存の垂直材に対して固定された胴縁取付用金具を設け、胴縁取付用金具には胴縁取付用金具を外装下地材取付用金具の取付部及び既存外壁を支持する下地及び／又は既存の横架材及び／又は既存の垂直材に対して固定具で留め付けるための固定部と、固定部の固定を行ったときに既存外壁面より屋外側に離れて存在し胴縁を施工するための施工面があり、胴縁取付用金具を介して胴縁が基礎の土台部及び既存外壁を支持する下地及び／又は既存の横架材及び／又は既存の垂直材に対して支持固定されている。
【０００８】
本発明の外壁改修構造においては、建物１階の基礎の土台部付近から上階との階層境界部に渡って施工される縦胴縁と、建物２階以降の各階の階層境界部に渡って施工される縦胴縁の上下端部近辺は胴縁取付用金具及び／又は胴縁取付用金具に固定された横胴縁に固定されていることが好ましい。
【発明の効果】
【０００９】
本発明に係る外壁改修構造によれば、低コストで、施工性も良好な、強度に優れた外壁改修構造が得られる。  
【図面の簡単な説明】
【００１０】
【図１】本発明に係る外壁改修構造の実施例で胴縁施工前の状態を示す参考斜視図である。
【図２】本発明に係る外壁改修構造に用いる部材の使用態様を示した参考斜視図である。
【図３】本発明に係る外壁改修構造に用いる部材の使用態様を示した参考斜視図である。
【図４】本発明に係る外壁改修構造の実施例で胴縁施工前を示す階層境界部の断面図である。
【図５】本発明に係る外壁改修構造の実施例で胴縁施工前を示す基礎の土台部の断面図である。
【図６】本発明に係る外壁改修構造の実施例で胴縁を施工した状態を示す階層境界部の断面図である。
【図７】本発明に係る外壁改修構造の実施例で胴縁を施工した状態を示す基礎の土台部の断面図である。
【図８】本発明に係る外壁改修構造の実施例で胴縁を施工した状態を示す参考斜視図である。
【図９】本発明に係る外壁改修構造の実施例で胴縁を施工した状態を出隅部の参考斜視図である。
【図１０】本発明に係る外壁改修構造の実施例を示す参考斜視図である。
【図１１】本発明に係る外壁改修構造の実施例を示す参考斜視図である。
【図１２】本発明に係る外壁改修構造に用いる外装下地材取付用金具の例を示す参考斜視図である。
【図１３】本発明に係る外壁改修構造に用いる胴縁取付用金具の例を示す参考斜視図である。
【図１４】本発明に係る外壁改修構造に用いる図１３に示した胴縁取付用金具に働く外力を表した図である。
【図１５】本発明に係る外壁改修構造に用いる胴縁取付用金具の例を示す参考斜視図と、それに働く外力を表した図である。
【図１６】本発明に係る外壁改修構造に用いる胴縁取付用金具の例を示す参考斜視図と、それに働く外力を表した図である。
【図１７】本発明に係る外壁改修構造に用いる胴縁取付用金具の例を示す参考斜視図である。
【図１８】本発明に係る外壁改修構造に用いる胴縁の例を示す参考斜視図である。
【図１９】本発明に係る外壁改修構造のパラペット部の例を示す断面図である。
【図２０】本発明に係る外壁改修構造の開口部の例を示す図である。
【発明を実施するための形態】
【００１１】
以下に図面を用いて、本発明に係る外壁改修構造について説明する。
【００１２】
本発明の外壁改修構造は、図１、図２に示すように、建物の基礎の土台部６近辺の既存外壁１の一部を削って除去することで壁材除去部Ｇを設け、その壁材除去部Ｇに外装下地材取付用金具Ｚを設置し、外壁下地材取付用金具Ｚの固定孔βへ固定具αを挿入し基礎の土台部６への固定を行って使う。
【００１３】
なお、外装下地材取付用金具Ｚを施工するために設けた壁材除去部Ｇは、例えば既存外壁１がＡＬＣ外壁であれば、ＡＬＣ補修材にて埋め戻しを行っておくことが好ましい。
【００１４】
そして例えば、基礎の土台部６へ固定した外装下地材取付用金具Ｚの取付部Ｔに外装下地材である胴縁取付用金具３や胴縁取付用金具３を介して胴縁４等を固定する。この本発明の外壁改修構造のように、基礎の土台部６に外装下地材取付用金具Ｚを施工することで、基礎の土台部６付近において十分な取付強度を得たいときに、胴縁４等を外装下地材取付用金具Ｚを介して強固な基礎の土台部６へ固定することができ、必要な取付強度を確保することができる。
【００１５】
例えば外壁のカバー改修の際に、既存外壁１への取り付けでは既存外壁１の劣化等の問題などの理由から新規外壁材８や胴縁４等の新規外装下地材の取付強度の確保が十分にできない場合があるが、そのような場合であっても外装下地材取付用金具Ｚを活用して取付強度の確保が可能となる。
【００１６】
また、特に、建物の基礎の土台部６付近に固定具αを強固に固定するための適当な既存外壁１の下地（アングル材やＨ型鋼等）が存在しない場合（例えばＡＬＣ外壁の縦壁挿入筋構法等の場合等）であっても、取付強度の確保が可能となる。
【００１７】
図１１に本発明に係る外壁改修構造を用いて改修を行った一例の参考斜視図を示す。
【００１８】
本発明は図１〜図３、図５に示すように、基礎の土台部６においては壁材除去部Ｇに設置して基礎の土台部６に固定した外装下地材取付用金具Ｚに、その上部では既存外壁１を支持する下地であるＬ字定規アングル２に対して、例えばビス等の固定具αを用いて胴縁取付用金具３を取り付けている。
【００１９】
ここで、胴縁取付用金具３は、既存外壁１を支持する下地以外にも、既存の横架材や垂直材へ固定してもよい。
【００２０】
このように、建物の基礎の土台部６と同様に、胴縁取付用金具３を既存外壁１に固定するのではなく、それよりも強度があり劣化も少ない既存外壁１を支持する下地や基礎の土台部６、既存の横架材や、既存の垂直材へ固定することで、既存外壁１の劣化や強度不足、取付強度の不足といった問題を回避することができる。
【００２１】
既存外壁１を支持する下地としては、例えば既存胴縁やＬ字定規アングル２や合板等があり、横架材としては、梁５や桁や胴差しや基礎の土台６等があり、垂直材としては柱や間柱等がある。これらの材質は特に限定されるものではない。
【００２２】
この実施例では、基礎の土台部６については、基礎の土台部６へ固定した外装下地材取付用金具Ｚに、各階の階層境界部Ｈでは既存外壁１を支持する下地であるＬ字定規アングル２へ固定具αであるビスを用いて胴縁取付用金具３を固定している。本発明はこの実施例のように既存外壁１を支持する下地に対して例えばビス等の固定具αを用いて固定をするという単純なやり方のため、特別な取り付け部材を用いるような複雑な改修構造に比べて、簡単で、施工性も良く、部材等のコストも抑えることができる。
【００２３】
図３に示すように、外装下地材取付用金具Ｚや胴縁取付用金具３を活用することで、胴縁４の設置を行う際に、取り付け位置の調整、既存外壁１の裏にある下地への固定、万一の場合の固定具αの打ち直し、等々を長尺上の胴縁４を扱いながら行う必要がなくなり、施工性が向上する。
【００２４】
図４、図５に示すように、胴縁取付用金具３は、既存外壁１の境界にあたる上下階の階層境界部Ｈと基礎の土台部６に固定した外装下地材取付用金具Ｚに固定して、建物の上下左右に間隔をあけて設置し、図６〜図８に示すように、設置した胴縁取付用金具３の施工面７に対して胴縁４を施工し、施工した胴縁４を活用して、図１０、図１１に示すように新規外壁材８を施工していく。
【００２５】
この実施例では、図８、図１０に示すように、建物の上下階の階層境界部Ｈに上下方向へ渡って縦胴縁４ａを施工していく部分については胴縁取付用金具３を縦方向に間隔を空けて設置し縦胴縁４ａを縦方向に渡すように施工している。一方、基礎の土台部６においては胴縁取付用金具３を横方向に設置し横胴縁４ｂを横方向に渡すように施工している。
【００２６】
この実施例の出隅部分については、図９に示すように、既存外壁１の出隅の裏側部分に胴縁取付用金具３を固定するのに適当な既存外壁１を支持する下地がないため、出隅部胴縁９は既存外壁１への固定を行うと共に、出隅以外の箇所でＬ字定規アングル２や外装下地材取付用金具Ｚへ固定した胴縁取付用金具３に固定した横胴縁４ｂや、Ｌ字定規アングル２へ固定を行った縦胴縁４ａから連結金具Ｊ等を用いて枝分かれさせた胴縁４へ固定を行うことで、Ｌ字定規アングル２へ胴縁取付用金具３を介して固定を行った胴縁４と同様に強固な支持を得ることができる。
【００２７】
図６〜図８に示すように、この実施例の建物の１階部分においては、建物の上下方向へ取りつける縦胴縁４ａの建物１階上端部近辺はＬ字定規アングル２へ取り付けた胴縁取付用金具３に固定し、一方、基礎の土台部６側は外装下地材取付用金具Ｚへ取り付けた胴縁取付用金具３を介して横方向に渡した横胴縁４ｂに固定している。
【００２８】
結果、建物の基礎の土台部６側で横方向に渡した横胴縁４ｂと、建物の上下階の階層境界部Ｈに上下方向に各階に設置される縦胴縁４ａの両端近辺は、基礎の土台部６や、既存外壁１を支持する下地であるＬ字定規アングル２に支持されることとなり、図８に示されるような強固に支持された胴縁群が得られることとなる。なお、もちろんではあるが、建物１階の縦胴縁４ａの基礎の土台部６側は、横胴縁４ｂではなく胴縁取付用金具３に直接取り付けても同様に強固な支持を得られる。また逆に、建物上下階の階層境界部Ｈにおいて胴縁取付用金具３に横胴縁４ｂを取り付けて横方向に渡して、その横胴縁４ｂに対して縦胴縁４ａを取り付けても同様に強固な支持を得ることができる。
【００２９】
なお、これら胴縁４の中間部分については、既存外壁１にアンカーＡとアンカーボルトＢを用いて留め付けてもよいし、ビスを用いて留め付けてもよいし、胴縁取付用金具３を用いて留め付けてもよい。ここで、胴縁４の中間部分で既存外壁１に対して胴縁取付用金具３の留め付けを行うような場合は、ビス等の固定具α以外に例えば、アンカーＡとアンカーボルトＢを用いて留め付けを行ってもよい。
【００３０】
図１２に、本発明に用いる外装下地材取付用金具Ｚの例を示す。
【００３１】
図１２（ａ）に示す外装下地材取付用金具Ｚは、胴縁取付用金具３や胴縁４を取り付ける垂直平面上の取付部Ｔと、外装下地材取付用金具Ｚを基礎の土台部６に固定する際に固定具αを外装材下地取付用金具Ｚの前方斜め上方から挿入し留め付けることができる固定孔βを有した第一支持片２１と、取付部Ｔと第一支持片２１とを有する外装下地材取付用金具Ｚを自立するように支える第二支持片２２とからなる。
【００３２】
固定孔βを有する第一支持片２１は、固定孔βに固定具αを前方斜め上方から挿入できるように、固定孔βが起き上がるように、第一支持片２１の後方側が垂直方向上方に傾斜している。つまり取付部Ｔの前方側に向かって垂直方向下方に且つ取付部Ｔの後方側に向かって垂直方向上方に傾斜するように第一支持片２１が形成されている。
【００３３】
前方支持端部２３は、第一支持片の前方側の端部（第一支持片の傾斜下方の端部）であり、外装下地材取付用金具Ｚの自立安定性や、グリップ性向上のために、外装下地材取付用金具Ｚを置いた際に接地するように形成されている。
【００３４】
第ニ支持片２２は、第一支持片２１の傾斜上方の端部である支持片頂部２４から先を垂直方向斜め下方に向けて屈曲して形成され、第ニ支持片２２の端部である後方支持端部２５は接地することで外装下地材取付用金具Ｚを支えて、外装下地材取付用金具Ｚが自立するように形成されている。
【００３５】
ここで、第ニ支持片２２の後方支持端部２５は、第一支持片２１の斜面上方端部である支持片頂部２４の垂直下方よりも後方側に存在するように形成されており、第ニ支持片２２が外装下地材取付用金具Ｚの後方側斜め下方の傾斜を持つようになり、このような傾斜を持つ第ニ支持片２２の後方支持端部２５が接地した場合には、外装下地材取付用金具Ｚの自立安定性の向上と、後方支持端部２５の接地部分でのグリップ性の向上、外装下地材取付用金具Ｚに固定具αを留め付ける時などのずれを防止する効果等が得られる。
【００３６】
さらに、図１２（ｂ）に示す例のように、本発明の外装下地材取付用金具Ｚは、第一支持片２１の前方支持端部２３や、第ニ支持片２２の後方支持端部２５に、接地部が点接触するような又は接地部が食い込むような、凸状の支持突起Ｙを設けることで、外装下地材取付用金具Ｚの接地部に対するグリップ性が向上し、施工時の外装下地材取付用金具Ｚのずれを防止する効果が得られる。
【００３７】
また、本発明の外装下地材取付用金具Ｚの形状については、これ以外にも各種の形状が考えられる。例えば、図１２（ｃ）に示すように、第二支持片は第一支持片の側端部を屈曲することで形成してもよい。
【００３８】
図１３、図１５〜図１７に本発明に用いる胴縁取付用金具３の例を示す。
【００３９】
図１３に示すように胴縁取付用金具３は、既存外壁１や既存外壁１を支持する下地や外装下地材取付用金具Ｚ等に対して胴縁取付用金具３を固定するためのビスやアンカーボルトＢといった固定具αを取り付けるための略方形状の固定部１０と、固定部１０の左右方向一端部から垂直方向上方に立ち上げた屈曲面１１と、屈曲面１１の端を固定部１０とほぼ平行になるように折り曲げた施工面７と、固定部１０の上下方向両端部から垂直方向上方に立ち上げた中央片１２とを有し、該中央片１２は施工面７の下に延びる中央片延出部１３を有している。
【００４０】
中央片延出部１３の施工面７裏面に面する側には上部受け部１４があり、一方施工面７裏面には、施工面７が既存外壁１の側に変形しようとした際に上部受け部１４と接する上部接部１５がある。
【００４１】
固定部１０には、ビスやアンカーボルトＢといった固定具αを挿入するための固定孔βが形成されている。
【００４２】
図１４に示すように、胴縁取付用金具３へ胴縁４の取り付けを行う際の固定具αの打ち込み時には、胴縁取付用金具３の施工面７に屋内側方向への外力Ｆがかかることになるが、図１３に示すような胴縁取付用金具３によれば、このような場合、特に胴縁取付用金具３と既存外壁１との間に隙間が存在するような場合であっても、中央片延出部１３の上部受け部１４が、施工面７裏面側の上部接部１５を受けて支える形となることで、胴縁取付用金具３の外力Ｆに対する強度が増し、固定具α打ち込み時の外力Ｆによる変形を防ぐことができる。これにより、例えば既存外壁１に不陸が存在するような場合であっても、胴縁取付用金具３の下にスペーサーＳを挿入するような不陸調整を問題なく行うことができる。
【００４３】
また、図１５（ａ）に示す胴縁取付用金具３は、中央片延出部１３には、施工面７が固定部１０がある既存外壁１の側から離れるような方向へ変形しようとした際に、側片１６と接することでその変形を防止する下部受け部１７がある。この下部受け部１７と接する側片１６の部位は下部接部１８とする。
【００４４】
この図１５（ａ）に示す胴縁取付用金具３によれば、図１４に示した胴縁取付用金具３の変形防止効果に加えて、中央片延出部１３と側片１６とに垂直方向上下の変形に対して噛み合うような形状を形成したことにより、図１４の場合と逆側の変形も防ぐことができる。
【００４５】
例えば、図１５（ｂ）に示すように、新規外壁材８の取り付け後において、新規外壁材８に負圧の風荷重がかかった際に、胴縁取付用金具３の施工面７にも屋外側方向への負圧の外力Ｆが作用することになるが、中央片延出部１３の下部受け部１７が、側片１６の下部接部１８を受けて支える形となることで、胴縁取付用金具３の外力Ｆに対する強度が増し、胴縁取付用金具３の耐風圧強度が向上することになる。
【００４６】
また、図１６（ａ）に示す胴縁取付用金具３は、中央片延出部１３には、施工面７および/または屈曲面１１が固定部１０の中心から離れる方向に変形しようとした際に、側片１６と接することでその変形を防止する側部受け部１９がある。この側部受け部１９と接する側片１６の部位は側部接部２０とする。
【００４７】
この図１６（ａ）に示す胴縁取付用金具３によれば、図１４、図１５に示した胴縁取付用金具３の変形防止効果に加えて、施工面７および/または屈曲面１１が固定部１０の中心から離れる方向に変形することも防ぐことができる。つまり、垂直方向上下の変形に対して噛み合うような形状に加えて、左右方向の変形に対しても噛み合うような形状となっている。
【００４８】
例えば、図１６（ｂ）に示すように、胴縁４や新規壁材取り付け後において、胴縁取付用金具３の施工面７および/または屈曲面１１が固定部１０左右方向に変形させるような、荷重や地震等による建物の動きによって生じるような外力Ｆが働いた場合であっても、中央片延出部１３の側部受け部１９が、側片１６の側部接部２０を受けて支える形となることで、胴縁取付用金具３の強度が増し、このような外力Ｆによる胴縁取付用金具３の変形を防止することができる。
【００４９】
もちろん、施工面７および/または屈曲面１１が固定部１０の中心方向に向かって近づくような変形に対しては、図１３（ｂ）、図１５、図１６、図１７に示す胴縁取付用金具３であれば、中央片や中央片延出部１３と側片１６とが接することになり、その変形を防ぐことができる。
【００５０】
なお、胴縁取付用金具３の他の形状として、図１７（ａ）に示すように、中央片延出部１３がなく、胴縁取付用金具３が既存外壁１の側に変形しようとした際に、側片１６が中央片１２と接して変形を防止するような形状。又は側片１６と屈曲面１１とが接して変形を防止するような形状でもよい、また、図１７（ｂ）（ｃ）に示すように、中央片延出部１３がなく、図１５、図１６の胴縁取付用金具３のような側片１６の形状のまま、中央片１２側を引っ込めて、側片１６側を延ばしたような形状のようにしても、図１５や図１６と同様の変形防止効果を得ることができる。
【００５１】
また、この胴縁取付用金具３は、図１３、図１５〜図１７に示すように、固定部１０の左右両側に、施工面７を形成することで、２本の胴縁４を一つの胴縁取付用金具３に取り付けることが容易となり、図６〜図８、図１０に示すような、胴縁４を建物の上下方向や左右方向で繋げるように設置する際に、施工性の向上、取り付け手間の軽減、固定具αや部材等の資材使用量の低減が望める。
【００５２】
特に、図６示すように、上下階の階層境界部Ｈで既存外壁１のパネルの継ぎ目に位置しているＬ字定規アングル２へ固定するような場合においては、胴縁取付用金具３を介しての固定を行うことで、留め付け可能な面積が狭いＬ字定規アングル２に対して、無理なく、建物上下方向に連なるように２本の縦胴縁４ａを繋ぐことができ、施工性が向上する。
【００５３】
なお、胴縁取付用金具３の施工面７が一つであっても、施工面７の面積が広ければ、一つの施工面７に２つの胴縁４を取り付けることはもちろん可能である。
【００５４】
図１８に本発明に用いる胴縁４の例を示す。使用する胴縁４の形状としては、一般的に知られている図１８（ａ）のハット型形状のものや、図１８（ｂ）、図１８（ｃ）に示すような形状のものがある。その他、新規外壁材８の横継部となるところでは、横継部用の部材を施工するために、広幅上の胴縁４を使用するといったこともあるし、図１８（ｄ）に示すように出隅部分用として出隅部胴縁９のようなイカ頭状ものを使用する場合もある。
【００５５】
胴縁取付用金具３や胴縁４の材質としては、例えば溶融亜鉛-アルミニウム-マグネシウム合金めっき等の高耐蝕性の鋼材やアルミやステンレスといった金属製のものがあるが、特に材質は限定されるものではない。一般的には金属製のものが主であるため金具と表記しているが、金属製のものでなくてもよい。
【００５６】
胴縁取付用金具３や胴縁４の固定孔βは、地震等の揺れで既存外壁１が動いた際の対策とし、面内追求性を考慮して長孔としておくことが好ましい。これにより、固定具αをつけた既存外壁１と固定孔βとにおいて多少の動きのズレが生じたとしても、そのズレを吸収することができる。特にこれは、既存外壁１がＡＬＣの縦壁ロッキング構法である場合においては、Ｌ字定規アングル２には既存外壁１のパネル幅方向中央に位置する部分に、既存のＡＬＣ外壁施工時に用いられた既存ＡＬＣ用金具Ｋが存在しているため、それを避けて胴縁取付用金具３の設置位置をパネル幅方向中央からずらして施工するような場合に効果を発揮する。
【００５７】
図１９に建物のパラペット部分における本発明の実施例を示す。例えば図１９に示すように、既存外壁１がＡＬＣ外壁である建物のパラペット部分では、屋上直下の階の既存外壁１は屋上方向に延長されており、屋上と屋上直下の階との階層境界部Ｈには既存外壁１の境界というものがないといったことがある。
【００５８】
ここでは、屋上とその直下の階との階層境界部Ｈに存在する既存外壁１の下地であるＬ字定規アングル２に下層階同様に胴縁取付用金具３を固定具αで固定するとともに、この胴縁取付用金具３の施工面７に対して縦胴縁４ａの上端部近辺を固定する。さらには、屋上方向に延長された既存外壁１に対しても念のため縦胴縁４ａを固定しておくことが好ましい。
【００５９】
図２０に建物の開口部Ｗにおける本発明の実施例の一例を示す。図２０（ａ）が開口部の正面、図２０（ｂ）が垂直断面、図２０（ｃ）が水平断面を表す参考図である。この開口部の例のように、縦胴縁４ａを連続して形成するのに邪魔な障害物がある箇所については、その箇所の既存外壁１の下地や横架材や垂直材の有無、開口部周りの施工態様、必要な強度等を勘案して、胴縁の取付方法の選択、胴縁取付用金具使用の有無、横胴縁４ｂの設置の有無等を決める。
【符号の説明】
【００６０】
１    既存外壁
２    Ｌ字定規アングル
３    胴縁取付用金具
４    胴縁
４ａ  縦胴縁
４ｂ  横胴縁
５    梁
６    基礎の土台部
７    施工面
８    新規外壁材
９    出隅部胴縁
１０  固定部
１１  屈曲面
１２  中央片
１３  中央片延出部
１４  上部受け部
１５  上部接部
１６  側片
１７  下部受け部
１８  下部接部
１９  側部受け部
２０  側部接部
２１  第一支持片
２２  第２支持片
２３  前方支持端部
２４  支持片頂部
２５  後方支持端部
α    固定具
β    固定孔
Ａ    アンカー
Ｂ    アンカーボルト
Ｆ    外力
Ｇ    壁材除去部
Ｈ    階層境界部
Ｊ    連結金具
Ｋ    既存ＡＬＣ用金具
Ｓ    スペーサー
Ｔ    取付部
Ｗ    開口部
Ｙ    支持突起  
Ｚ    外装下地材取付用金具
【図１】
2018178582.tif 000003
【図２】
2018178582.tif 000004
【図３】
2018178582.tif 000005
【図４】
2018178582.tif 000006
【図５】
2018178582.tif 000007
【図６】
2018178582.tif 000008
【図７】
2018178582.tif 000009
【図８】
2018178582.tif 000010
【図９】
2018178582.tif 000011
【図１０】
2018178582.tif 000012
【図１１】
2018178582.tif 000013
【図１２】
2018178582.tif 000014
【図１３】
2018178582.tif 000015
【図１４】
2018178582.tif 000016
【図１５】
2018178582.tif 000017
【図１６】
2018178582.tif 000018
【図１７】
2018178582.tif 000019
【図１８】
2018178582.tif 000020
【図１９】
2018178582.tif 000021
【図２０】
2018178582.tif 000022